(57)【要約】【課題】タブ部が変形するのを回避する。【解決手段】ハウジング本体１１はサブハウジング４０を挿入して組み付け可能とされる。サブハウジング４０には複数のリブ４９が設けられ、ハウジング本体１１には複数の受け溝２２が設けられている。サブハウジング４０が正規の挿入姿勢をとる場合には、リブ４９が受け溝２２に適合してサブハウジング４０のハウジング本体１１への挿入動作が許容される。サブハウジング４０が正逆反転した挿入姿勢をとる場合には、リブ４９が受け溝２２から外れてハウジング本体１１の後面と干渉することでサブハウジング４０のハウジング本体１１への挿入動作が規制されるとともに、サブハウジング４０に収容されたタブ状端子９０のタブ部９１の先端がムービングプレート６０の後面よりも後方に離間して配置される。【選択図】図４
2008270152.tif 000002
【特許請求の範囲】
【請求項１】
前後方向に貫通するサブハウジング収容室を備えたハウジング本体と、
前記ハウジング本体の前記サブハウジング収容室に対して後方から挿入して組み付けられ、タブ状端子を収容可能でかつ単体状態にあってはこのタブ状端子のタブ部を前方へ突出状態で露出させたサブハウジングと、
前記ハウジング本体の前面に連なって前方へ筒状に突出するとともに内部に前記タブ状端子のタブ部を配するフード部と、
前記フード部内に組み込まれ、前記タブ状端子のタブ部を貫通状態で整列させるムービングプレートとを備え、
前記サブハウジングと前記ハウジング本体のいずれか一方にはリブが設けられ、他方には受け溝が設けられており、
前記サブハウジングが正規の挿入姿勢をとる場合には、前記リブが前記受け溝に適合して前記サブハウジングの前記ハウジング本体への挿入動作が許容され、
前記サブハウジングが正逆反転した挿入姿勢をとる場合には、前記リブが前記受け溝から外れて前記他方側の壁面と干渉することで前記サブハウジングの前記ハウジング本体への挿入動作が規制されるとともに、このリブと他方側との干渉状態では前記サブハウジングに収容された前記タブ状端子のタブ部の先端が前記ムービングプレートの後面よりも後方に離間して配置されることを特徴とするコネクタ。
【請求項２】
前記受け溝は前記ハウジング本体における前記サブハウジング収容室の内面に設けられ、
前記リブは前記サブハウジングの外周面に設けられ、かつこのリブの前端は前記サブハウジングの前面よりも後方へ控えた位置に設定され、前記サブハウジングが正逆反転した挿入姿勢をとる場合に前記リブが前記ハウジング本体の後面に干渉したときに、前記サブハウジングにおける前記リブの前端よりも前方の領域が前記サブハウジング収容室内に嵌入するようになっていることを特徴とする請求項１に記載のコネクタ。
【請求項３】
前記受け溝の前端は、前記サブハウジングが正規の組み付け位置に達した場合に前記リブと当接して前記サブハウジングの前止まりをなす前止まり部となっていることを特徴とする請求項２に記載のコネクタ。
【請求項４】
前記フード部には、前記タブ部よりも一回りサイズの大きい他のタブ部が突出して配置されており、
前記ムービングプレートは、前記フード部のうち前記サブハウジングと対応した一部に組み付けられ、前記サブハウジングに装着された前記タブ部のみを貫通させることを特徴とする請求項１ないし請求項３のいずれかに記載のコネクタ。
【発明の詳細な説明】
【技術分野】
【０００１】
本発明は、コネクタに関する。
【背景技術】
【０００２】
従来より、コネクタハウジングの本体部分にサブハウジングを組み付けたコネクタが知られている。例えば、特許文献１に記載のものは、サブハウジングにタブ状端子が収容されており、サブハウジングが単体状態である場合にはタブ状端子のタブ部がサブハウジングの前面から前方へ突出状態で露出され、サブハウジングがコネクタハウジングの本体部分に組み付けられた状態ではタブ部がコネクタハウジングのフード部内に保護状態で覆われるようになっている。
【０００３】
一方、上記とは別にムービングプレートを備えたコネクタが知られている。例えば、特許文献２に記載のものは、コネクタハウジングのフード部内にムービングプレートが組み込まれており、フード部内に突出するタブ部の先端を貫通させることで、タブ部を位置決めして整列させるようになっている。
【特許文献１】特開２００３−１５１６８４公報
【特許文献２】特開２００２−１５８１１公報
【発明の開示】
【発明が解決しようとする課題】
【０００４】
特許文献１に記載のコネクタにおいて、タブ部の位置決め及び保護の必要性が重要視されると、このコネクタハウジングのフード部内に特許文献２に記載のようなムービングプレートを組み込むことが求められる。かかるムービングプレートを特許文献１に記載のコネクタに適用する場合に、サブハウジングが正規の組み付け姿勢をとっていれば、タブ部の先端がムービングプレートに貫通可能となるため問題は少ないが、サブハウジングが正逆反転した組み付け姿勢をとっていると、露出するタブ部の先端がムービングプレートの後面に突き当って屈曲することが懸念される。
【０００５】
本発明は上記のような事情に基づいて完成されたものであって、タブ部が変形するのを回避することを目的とする。
【課題を解決するための手段】
【０００６】
上記の目的を達成するための手段として、請求項１の発明は、前後方向に貫通するサブハウジング収容室を備えたハウジング本体と、前記ハウジング本体の前記サブハウジング収容室に対して後方から挿入して組み付けられ、タブ状端子を収容可能でかつ単体状態にあってはこのタブ状端子のタブ部を前方へ突出状態で露出させたサブハウジングと、前記ハウジング本体の前面に連なって前方へ筒状に突出するとともに内部に前記タブ状端子のタブ部を配するフード部と、前記フード部内に組み込まれ、前記タブ状端子のタブ部を貫通状態で整列させるムービングプレートとを備え、前記サブハウジングと前記ハウジング本体のいずれか一方にはリブが設けられ、他方には受け溝が設けられており、前記サブハウジングが正規の挿入姿勢をとる場合には、前記リブが前記受け溝に適合して前記サブハウジングの前記ハウジング本体への挿入動作が許容され、前記サブハウジングが正逆反転した挿入姿勢をとる場合には、前記リブが前記受け溝から外れて前記他方側の壁面と干渉することで前記サブハウジングの前記ハウジング本体への挿入動作が規制されるとともに、このリブと他方側との干渉状態では前記サブハウジングに収容された前記タブ状端子のタブ部の先端が前記ムービングプレートの後面よりも後方に離間して配置される構成としたところに特徴を有する。
【０００７】
請求項２の発明は、請求項１に記載のものにおいて、前記受け溝は前記ハウジング本体における前記サブハウジング収容室の内面に設けられ、前記リブは前記サブハウジングの外周面に設けられ、かつこのリブの前端は前記サブハウジングの前面よりも後方へ控えた位置に設定され、前記サブハウジングが正逆反転した挿入姿勢をとる場合に前記リブが前記ハウジング本体の後面に干渉したときに、前記サブハウジングにおける前記リブの前端よりも前方の領域が前記サブハウジング収容室内に嵌入するようになっているところに特徴を有する。
【０００８】
請求項３の発明は、請求項２に記載のものにおいて、前記受け溝の前端は、前記サブハウジングが正規の組み付け位置に達した場合に前記リブと当接して前記サブハウジングの前止まりをなす前止まり部となっているところに特徴を有する。
【０００９】
請求項４の発明は、請求項１ないし請求項３のいずれかに記載のものにおいて、前記フード部には、前記タブ部よりも一回りサイズの大きい他のタブ部が突出して配置されており、前記ムービングプレートは、前記フード部のうち前記サブハウジングと対応した一部に組み付けられ、前記サブハウジングに装着された前記タブ部のみを貫通させるところに特徴を有する。
【発明の効果】
【００１０】
＜請求項１の発明＞
サブハウジングが正逆反転した挿入姿勢をとる場合にはリブが受け溝から外れて他方側と干渉することでサブハウジングのハウジング本体への挿入動作が規制されるから、サブハウジングの誤組み付けが防止される。そして、このリブと他方側との干渉状態では、サブハウジングに収容されたタブ状端子のタブ部の先端がムービングプレートの後面よりも後方に離間して配置されるから、単体時に露出状態にあるタブ部の先端がムービングプレートとの干渉に起因して屈曲等して変形するのを回避できる。
【００１１】
＜請求項２の発明＞
サブハウジングが正逆反転した挿入姿勢をとる場合にリブがハウジング本体の後面に干渉すると、サブハウジングにおけるリブの前端よりも前方の領域がサブハウジング収容室内に嵌入するから、サブハウジングのリブがサブハウジング収容室内に無理入れされるのを防止でき、誤組み付け防止の信頼性を高めることができる。
【００１２】
＜請求項３の発明＞
受け溝の前端がサブハウジングの前止まりをなす前止まり部となっているから、前止まり部を別に設ける場合に比べて、ハウジング本体の構成を簡素化できる。
【００１３】
＜請求項４の発明＞
タブ部は、他のタブ部よりサイズが小さいため、衝撃によって破損され易いという事情があるが、ムービングプレートによって保護されることで破損されるのを防止できる。この場合、サイズの大きい他のタブ部のほうはムービングプレートによって保護する必要性が低いので、これに対応するムービングプレートは設けられていない。したがって、ムービングプレートを小型にでき、低コストに抑えることができる。
【発明を実施するための最良の形態】
【００１４】
＜実施形態１＞
本発明の実施形態１を図１ないし図７によって説明する。本実施形態のコネクタは雄コネクタであって、ハウジング１０、サブハウジング４０、ムービングプレート６０、レバー８０、タブ状端子９０（いわゆる雄端子金具）を備えて構成され、タブ状端子９０は金属製で残りは合成樹脂製とされる。
【００１５】
ハウジング１０は、縦長ブロック状のハウジング本体１１と、ハウジング本体１１の前面に一体に連なってその周縁部から前方へ突出する縦長角筒状のフード部１２とからなる。フード部１２における幅方向の両側壁には、このフード部１２の前端から後方へスリット状に切り込んだ逃がし溝１３が形成されている。
【００１６】
フード部１２のうち、最上位置と最下位置にはサイズの大きいタブ部９０Ａが配置され、上下方向の略中央部にはサブハウジング４０と対応するサイズの小さいタブ部９１が配置されている。さらに、中間サイズのタブ部９０Ｂが前記両タブ部９０Ａ，９１の間に配置されている。ハウジング本体１１の前面からのタブ部９０Ａ，９０Ｂ，９１の突出寸法については、サイズの大きいタブ部９０Ａと中間サイズのタブ部９０Ｂが略同じ寸法であり、タブ部９１がそれより小さい寸法となっている。
【００１７】
レバー８０は、図２に示すように、フード部１２の両側壁の外面に沿って板状をなす一対のアーム部８１と、両アーム部８１の上端同士を連結する操作部８２とを一体に形成したものであり、両アーム部８１にはカム溝８３が形成されるとともに軸受孔８４が形成され、この軸受孔８４にフード部１２の外面に突成された支軸１４が嵌合されている。支軸１４と軸受孔８４との係合によってハウジング１０に取り付けられたレバー８０は、カム溝８３の入り口をフード部１２の逃がし溝１３と対応させる初期位置と、操作部８２を図２に示す矢線方向に回動させることで相手側の雌コネクタ（図示せず）を正規深さで嵌合させる嵌合位置とに移動可能となっている。
【００１８】
ムービングプレート６０は、図４に示すように、ハウジング本体１１の前面と平行に対向する板状のプレート本体６１と、プレート本体６１の周縁部から前方へ突出する横長角筒状の筒状部６２とからなる。このムービングプレート６０は、フード部１２内に部分的に挿入されるものであってフード部１２の高さ方向略中央部に配置され、その上面からフード部１２の上壁下面との間及びその下面からフード部１２の下壁上面との間に距離をあけている。プレート本体６１には複数の位置決め孔６３が整列状態で貫通して形成されている。また、筒状部６２における幅方向の両側壁には、左右一対のカムフォロア６４が突出して形成されている。両カムフォロア６４は、フード部１２の逃がし溝１３を厚み方向（幅方向）に貫通してレバー８０のカム溝８３内に嵌合されるとともに、その内部に相手側の雌コネクタのカムピン（図示せず）が嵌入されるようになっている。レバー８０の回動操作によって両カムフォロア６４とカム溝８３との係合によるカム作用が発揮されると、ムービングプレート６０はレバー８０と連動してフード部１２内を前後方向に移動可能となっている。詳しくはレバー８０が初期位置にあるときには、ムービングプレート６０はフード部１２の開口側に近い進出位置にあり、レバー８０が嵌合位置へ回動されるのに伴ってムービングプレート６０はフード部１２の奥側（ハウジング本体１１側）へ移動し、レバー８０が嵌合位置に達した状態では、プレート本体６１がその前面側で相手側の雌ハウジングと当接するとともにその後面側でサブハウジング４０と当接する後退位置にある。そして、進出位置ではプレート本体６１の位置決め孔６３にサブハウジング４０に収容されたタブ状端子９０のタブ部９１（後述する）の先端が貫通して筒状部６２内に臨み、後退位置に行くに従ってタブ部９１の筒状部６２内への進入量が大きくなるようになっている。
【００１９】
ハウジング本体１１のうち上方の領域及び下方の領域にはタブ状端子９０を収容可能なキャビティ１５が並列に形成されている。キャビティ１５には後方からタブ状端子９０が挿入され、キャビティ１５の内壁にはタブ状端子９０の後方への抜け止めをなす撓み可能なランス１６が形成され、かつキャビティ１５の前壁にはタブ状端子９０のタブ部９１の挿通孔１７とその周りを包囲してタブ状端子９０のそれ以上の前進を規制するテーパ状の前止まり面１８とが形成されている。キャビティ１５内に挿入された各タブ状端子９０のタブ部９１はフード部１２内にその先端位置を揃えた状態で突出させている。
【００２０】
ハウジング本体１１のうちの高さ方向略中央部には、図３及び図５に示すように、サブハウジング４０を組み付けるためのサブハウジング収容室１９が一つだけ形成されている。サブハウジング収容室１９は、サブハウジング４０と対応する断面形状をなし、ムービングプレート６０の組付位置の直後方に位置してハウジング本体１１を前後方向に貫通する形状とされる。サブハウジング収容室１９の幅方向の両側内面には、正規に組み付けられたサブハウジング４０の抜け止めをなす一対の抜け止め部２１が形成されている。また、サブハウジング収容室１９の内面には、複数の受け溝２２が凹み形成されている。詳しくは受け溝２２は、角に丸みのついた方形の断面形状をなし、サブハウジング収容室１９の内上面に２つ、サブハウジング収容室１９の内下面に１つ設けられ、内上面における２つの受け溝２２は幅方向中央部を挟んだ両側に対をなして配置され、内下面における１つの受け溝２２は幅方向中央部に１つ配置されている。そして、受け溝２２の後端はハウジング本体１１（ハウジング１０）の後面に開口し、受け溝２２の前端はハウジング本体１１の前面より少し後方にあってハウジング本体１１の前面との間に縦壁状の閉止壁２３を介在させており、受け溝２２の前端から後端にかけて真直ぐ延出して形成されている。受け溝２２の前端（閉止壁２３の後面）は、ハウジング本体１１の前面に平行して略垂直に切り立っており、ここが正規の組み付け位置に至ったサブハウジング４０が当て止めされる前止まり部２４となっている。
【００２１】
サブハウジング４０は、図６及び図７に示すように、略角ブロック状をなし、ハウジング本体１１のサブハウジング収容室１９内に後方から挿入される。サブハウジング４０の内部には、電線９９の端末に接続されたタブ状端子９０を収容可能な複数のキャビティ４１が前後方向に貫通して形成され、キャビティ４１の内壁には、タブ状端子９０を抜け止めする撓み可能なランス４２が形成され、かつキャビティ４１の前壁にはタブ状端子９０のタブ部９１の挿通孔４３とその周りを包囲してタブ状端子９０のそれ以上の前進を規制するテーパ状の前止まり面４４とが形成されている。そして、サブハウジング４０のうちランス４２よりも後方には、各キャビティ４１と連通するリテーナ装着孔４５が下面に開口して形成されている。リテーナ装着孔４５には下方からサイドタイプのリテーナ３０が挿入され、タブ状端子９０はリテーナ装着孔４５内に正規深さで挿入されたリテーナ３０によってランス４２とともに二重係止されるようになっている。そして、サブハウジング４０の幅方向の両側面には、高さ方向中央より少し上方でかつ前端寄りの位置に、ハウジング本体１１の抜け止め部２１と係止可能な突部４６が設けられている。
【００２２】
サブハウジング４０の両側面の下半部には上半部よりも幅方向両側に膨出する膨出部４７が形成されており、この膨出部４７に形成された開口部４８にリテーナの両側面の一部が臨んでいる。サブハウジング４０の前面は、正規嵌合時に相手側の雌ハウジングが当接可能な嵌合面とされ、タブ部９１の挿通孔４３の開口が略方形をなして高さ方向及び幅方向に整列して複数配置されている。ハウジング本体１１への組み付け前は（単体状態では）、キャビティ４１内に正規挿入されたタブ状端子９０はそのタブ部９１をサブハウジング４０の前面から前方へ突出状態で露出させるようになっている。一方、ハウジング本体１１への組み付け後は、サブハウジング４０に収容されたタブ状端子９０のタブ部９１はフード部１２内に保護状態で覆われるようになっている。また、ハウジング本体１１への組み付け直後、タブ状端子９０のタブ部９１の先端は、サブハウジング４０がハウジング本体１１に組み付けられた状態で進出位置にあるムービングプレート６０の位置決め孔６３を貫通して筒状部６２内に少し突出する位置にある。
【００２３】
サブハウジング４０の外周面には、前後方向に延びる複数のリブ４９が形成されている。サブハウジング４０がサブハウジング収容室１９への正規の挿入姿勢をとっている場合には、リブ４９が受け溝２２と対応する位置に配されてサブハウジング４０のサブハウジング収容室１９への組み付け動作が許容され、サブハウジング４０が正逆反転した姿勢（上下逆さまの姿勢）をとっている場合には、リブ４９が受け溝２２との対応位置から外れてハウジング本体１１の後面と干渉し、サブハウジング４０のサブハウジング収容室１９への組み付け動作が規制されるようになっている。詳しくはリブ４９は、受け溝２２に適合する形態であって角に丸みのついた方形の断面形状をなし、サブハウジング４０の前面より少し後退した位置にその前端が設定されてそこから後方へ真直ぐ延出するとともに、その後端が前後方向についてサブハウジング４０の後面と同じ位置に達している。より詳しくはリブ４９の前端は、前後方向についてタブ部９１が箱部９２に連なる付け根の位置とほぼ同じ位置であって、膨出部４７の前端よりやや前方に設定されている。さらに詳しくはリブ４９は、サブハウジング４０の上面の幅方向中央を挟んだ両側に対をなして配置されるとともに、サブハウジング４０の下面の幅方向中央に１つ配置され、かつ、このサブハウジング４０の下面に配されたリブ４９はリテーナ装着孔４５の開口と対応する位置で途切れこのリテーナ装着孔４５を挟んで前後に分断されている。
【００２４】
次に本実施形態の作用効果を説明する。  
ハウジング本体１１のサブハウジング収容室１９に対して後方からサブハウジング４０を挿入する。サブハウジング４０が正規の挿入姿勢をとっていれば、サブハウジング４０の各リブ４９とハウジング本体１１の各受け溝２２が適合し、サブハウジング４０がサブハウジング収容室１９にスムーズに挿入される。挿入の過程では、リブ４９が受け溝２２の溝面に摺接することでサブハウジング４０の挿入動作が案内され、挿入の完了に伴いリブ４９の前端が受け溝２２の前止まり部２４に当接してそれ以上の前進が規制される。また挿入の完了に伴い抜け止め部２１と突部４６がサブハウジング４０の抜け方向で係止し合い、サブハウジング４０の後退が規制される（図１を参照）。こうしてサブハウジング４０が正規の組み付け位置に達すると、サブハウジング４０の前面はハウジング本体１１の前面（フード部１２の奥面）と前後方向についてほぼ同じ位置に揃うこととなる。
【００２５】
レバー８０を初期位置にセットするとともに、ムービングプレート６０を進出位置にセットした状態で、カプピンを逃がし溝１３に沿って押入れつつ雌コネクタをフード部１２内に浅く嵌合し、カム溝８３の入り口で待機しているカムフォロア６４内にカムピンを嵌入する。すると、カムピンがカムフォロア６４と合体してカム溝８３に係合した状態となる。また、雌コネクタの雌ハウジングがムービングプレート６０内に嵌合する。この状態からレバー８０を嵌合位置まで回動させると、カムピン及びカムフォロア６４とカム溝８３との係合によるカム作用によってムービングプレート６０と雌コネクタが一体となってフード部１２の奥側へ引き込まれ、両コネクタが正規の嵌合状態に至る。この嵌合過程では、サブハウジング４０の各タブ部９１は、プレート本体６１の位置決め孔６３に拘束されて整列状態に保たれ、これにより雌コネクタ側の雌端子金具と確実な導通状態が得られる。なお、両コネクタを離脱させる場合には、レバー８０を嵌合位置から初期位置へ戻し方向に回動させれば、上記とは逆の動作を経て両コネクタを互いに引き離すことができる。
【００２６】
ところで、サブハウジング４０が正逆反転した姿勢をとっていると、リブ４９と受け溝２２が不適合となり、サブハウジング４０のサブハウジング収容室１９への挿入動作が規制される。このとき、リブ４９がハウジング本体１１の後面に当接するとともに、ハウジング本体１１のうちリブ４９の前端より前方の領域（以下、前方領域５１という）がサブハウジング収容室１９内に後方から遊動規制状態で嵌合し、かつタブ部９１がサブハウジング収容室１９内に臨むこととなる（図４を参照）。この状態でタブ部９１の先端はサブハウジング収容室１９内にあって進出位置にあるムービングプレート６０（プレート本体６１）の後面より後方に離間して配置される。よって、タブ部９１の先端がムービングプレート６０（プレート本体６１）の後面に突き当たることはない。また、仮にムービングプレート６０が後退位置にあっても正逆反転した姿勢をとるサブハウジング４０に収容されたタブ状端子９０のタブ部９１の先端とプレート本体６１の後面との間には距離が確保されるから、ここでもタブ部９１がプレート本体６１の後面に突き当たることはない。
【００２７】
したがって、本実施形態のコネクタによれば、リブ４９と受け溝２２によってサブハウジング４０のハウジング本体１１への誤組み付け（誤挿入）が防止されるのに加え、この誤組み付け時にリブ４９とハウジング本体１１とが干渉した状態で、サブハウジング４０に収容されたタブ状端子９０のタブ部９１の先端がムービングプレート６０の後面よりも後方に離間して配置されるから、単体時に露出状態にあるタブ部９１の先端がムービングプレート６０との干渉に起因して屈曲等して変形するのを回避できる。
【００２８】
また、サブハウジング４０が正逆反転した挿入姿勢をとる場合にリブ４９がハウジング本体１１の後面に干渉すると、サブハウジング４０の前方領域５１がサブハウジング収容室１９内に嵌入してその位置決めがなされるから、サブハウジング４０のリブ４９がサブハウジング収容室１９内に無理やりこじ入れられるのを防止でき、サブハウジング４０の誤組み付け防止の信頼性を高めることができる。
【００２９】
さらに、受け溝２２の前端がサブハウジング４０の前止まりをなす前止まり部２４となっているから、かかる前止まり部２４を別に設ける場合に比べて、ハウジング本体１１の構成を簡素化できる。
【００３０】
さらにまた、タブ部９１は、他のタブ部９０Ａ，９０Ｂよりサイズが小さいため、衝撃によって破損され易いという事情があるが、ムービングプレート６０によって保護されることで破損されるのを防止できる。この場合、他のタブ部９０Ａ，９０Ｂのほうはムービングプレート６０によって保護する必要性が低いので、これらに対応するムービングプレート６０は設けられていない。したがって、ムービングプレート６０を小型にでき、低コストに抑えることができる。
【００３１】
＜他の実施形態＞
本発明は上記記述及び図面によって説明した実施形態に限定されるものではなく、例えば次のような実施形態も本発明の技術的範囲に含まれる。  
（１）上記実施形態とは逆にサブハウジング側に受け溝を設け、ハウジング本体側にリブを設けてもよい。  
（２）ハウジング本体に複数のサブハウジング収容室を設け、ハウジングが複数のサブハウジングを受け入れ可能となっていてもよい。この場合、ハウジング本体にキャビティは無くても構わない。  
（３）レバーは無くても構わない。  
（４）サブハウジングの誤組み付けを防止できれば、リブと受け溝の形状、個数、配置は任意である。
【図面の簡単な説明】
【００３２】
【図１】本実施形態のコネクタの側断面図
【図２】コネクタの側面図
【図３】サブハウジングを挿入する前の状態におけるコネクタの側断面図
【図４】サブハウジングが正逆反転した姿勢をとってリブがハウジング本体と干渉した状態におけるコネクタの側断面図
【図５】ハウジングの背面図
【図６】タブ状端子を収容したサブハウジングの側断面図
【図７】サブハウジングの正面図
【符号の説明】
【００３３】
１０…ハウジング
１１…ハウジング本体
１２…フード部
２２…受け溝
２４…前止まり部
４０…サブハウジング
４９…リブ
６０…ムービングプレート
６１…プレート本体
９０…タブ状端子
９１…タブ部
【図１】
2008270152.tif 000003
【図２】
2008270152.tif 000004
【図３】
2008270152.tif 000005
【図４】
2008270152.tif 000006
【図５】
2008270152.tif 000007
【図６】
2008270152.tif 000008
【図７】
2008270152.tif 000009